【手続補正書】
【提出日】平成17年3月16日(2005.3.16)
【手続補正１】
【補正対象書類名】明細書
【補正対象項目名】特許請求の範囲
【補正方法】変更
【補正の内容】
【特許請求の範囲】
【請求項１】
撮影を行って画像データを記録するカメラモードと、前記記録された画像データを再生する再生モードとが設定可能な電子カメラにおいて、
基準位置から第１の方向に離れた第１の操作部、前記基準位置から前記第１の方向とは逆の第２の方向に離れた第２の操作部、前記基準位置から前記第１，第２の方向とは異なる第３の方向に離れた第３の操作部、および前記基準位置から前記第３の方向とは逆の第４の方向に離れた第４の操作部を一群にまとめて成る操作手段と、
前記再生モード設定時に、前記第１および第２の操作部の操作に応答して機能を選択し、前記第３の操作部の操作に応答して前記選択された機能の「決定」を行い、前記第４の操作部の操作に応答して前記「決定」を解除する制御手段とを具備することを特徴とする電子カメラ。
【請求項２】
前記第１および第２の操作部の操作は、表示された複数の機能からいずれかを選択するための操作であり、前記制御手段は、前記再生モード設定時に選択可能な複数の機能を表示手段に一覧表示し、前記第１の操作部の操作に伴って選択すべき機能を前記一覧表示において所定方向に変更し、前記第２の操作部の操作に伴って前記所定方向とは逆の方向に変更することを特徴とする請求項１に記載の電子カメラ。
【請求項３】
前記第１の操作部の操作による機能の変更方向と前記第１の方向とが略一致するとともに、前記第２の操作部の操作による機能の変更方向と前記第２の方向とが略一致していることを特徴とする請求項２に記載の電子カメラ。
【請求項４】
前記制御手段は、前記表示手段が前記一覧表示のときに前記第３の操作部が操作されると、その操作で決定された機能に応じた表示に切換え、その後に前記第４の操作部が操作されると、前記一覧表示に戻すことを特徴とする請求項２または３に記載の電子カメラ。
【請求項５】
前記制御手段は、前記カメラモード設定時には、前記第１〜第４の操作部の操作に応答して撮影条件を設定することを特徴とする請求項１〜４のいずれかに記載の電子カメラ。
【請求項６】
前記撮影条件の設定はファインダ内のフォーカスエリアの選択設定であり、前記制御手段は、前記第１〜第４の操作部の操作に応答して選択すべきフォーカスエリアを前記第１〜第４の方向と略一致する方向にそれぞれ変更することを特徴とする請求項５に記載の電子カメラ。
【請求項７】
撮影を行って画像データを記録するカメラモードと、前記記録された画像データを再生する再生モードとが設定可能な電子カメラにおいて、
基準位置から第１の方向に離れた選択操作部、前記基準位置から前記第１の方向とは異なる第２の方向に離れたセット操作部、および前記基準位置から前記第２の方向とは逆の第３の方向に離れたリセット操作部を一群にまとめて成る操作手段と、
前記再生モード設定時に、前記選択操作部の操作に応答して機能を選択し、前記セット操作部の操作に応答して前記選択された機能の「決定」を行い、前記リセット操作部の操作に応答して前記「決定」を解除する制御手段とを具備することを特徴とする電子カメラ。
【請求項８】
画像データ、および該画像データを再生する際の機能を設定するメニューを一覧表示する表示手段をカメラ本体の背面に設けるとともに、
基準位置から第１の方向に離れた第１の操作部、前記基準位置から前記第１の方向とは逆の第２の方向に離れた第２の操作部、前記基準位置から前記第１，第２の方向とは異なる第３の方向に離れた第３の操作部、および前記基準位置から前記第３の方向とは逆の第４の方向に離れた第４の操作部を一群にまとめて成る操作手段を、前記カメラ本体の前記背面における前記表示手段の右側に配置し、
前記第１〜第４の操作部によって前記メニューに対する操作を行うよう構成したことを特徴とする電子カメラ。
【請求項９】
前記操作手段は、前記カメラ本体を右手で把持するためのグリップ部の背面側に配置されていることを特徴とする請求項８に記載の電子カメラ。
【請求項１０】
前記メニューは、複数機能かつ該複数機能のうち少なくとも一つの機能に対して複数階層を有する構造であり、
前記メニューが前記表示手段に表示された状態で、前記第１および第２の操作部の操作に応答して前記機能を選択し、前記第３の操作部の操作に応答して前記選択された機能の下位階層メニューへの遷移を行い、前記第４の操作部の操作に応答して前記選択された機能の上位階層メニューへの遷移を行う制御手段とを更に具備することを特徴とする請求項８に記載の電子カメラ。
【請求項１１】
撮影を行って画像データを記録するカメラモードと、前記記録された画像データを再生する再生モードとが設定可能な電子カメラにおいて、
前記再生モード設定時に、前記画像データの再生に関する複数機能かつ該複数機能のうち少なくとも一つの機能に対して複数階層を有するメニュー一覧を表示する表示手段と、
基準位置から第１の方向に離れた第１の操作部、前記基準位置から前記第１の方向とは逆の第２の方向に離れた第２の操作部、前記基準位置から前記第１，第２の方向とは異なる第３の方向に離れた第３の操作部、および前記基準位置から前記第３の方向とは逆の第４の方向に離れた第４の操作部を一群にまとめて成る操作手段と、
前記メニュー一覧が前記表示手段に表示された状態で、前記第１および第２の操作部の操作に応答して前記機能を選択し、前記第３の操作部の操作に応答して前記選択された機能の下位階層メニューへの遷移を行い、前記第４の操作部の操作に応答して前記選択された機能の上位階層メニューへの遷移を行う制御手段とを具備することを特徴とする電子カメラ。
【請求項１２】
撮影を行って画像データを記録するカメラモードと、前記記録された画像データを再生する再生モードとが設定可能な電子カメラにおいて、
基準位置から第１の方向に離れた第１の操作部、前記基準位置から前記第１の方向とは逆の第２の方向に離れた第２の操作部、前記基準位置から前記第１，第２の方向とは異なる第３の方向に離れた第３の操作部、および前記基準位置から前記第３の方向とは逆の第４の方向に離れた第４の操作部を一群にまとめて成る操作手段と、
前記再生モード設定時に、前記第１および第２の操作部の操作に応答して再生される前記画像データの切換えを行い、前記第３および第４の操作部の操作に応答して他の機能を実行する制御手段とを具備することを特徴とする電子カメラ。
【手続補正２】
【補正対象書類名】明細書
【補正対象項目名】００１１
【補正方法】変更
【補正の内容】
【００１１】
【課題を解決するための手段】
本発明は、撮影を行って画像データを記録するカメラモードと、記録された画像データを再生する再生モードとが設定可能な電子カメラに適用される。
そして、基準位置から第１の方向に離れた第１の操作部、基準位置から第１の方向とは逆の第２の方向に離れた第２の操作部、基準位置から第１，第２の方向とは異なる第３の方向に離れた第３の操作部、および基準位置から第３の方向とは逆の第４の方向に離れた第４の操作部を一群にまとめて成る操作手段と、再生モード設定時に、第１および第２の操作部の操作に応答して画像または機能を選択し、第３の操作部の操作に応答して選択された画像または機能の「決定」を行い、第４の操作部の操作に応答して「決定」を解除する制御手段とを具備し、これにより上記問題点を解決する。
請求項２の発明は、第１および第２の操作部の操作が、表示された複数の機能からいずれかを選択するための操作であり、再生モード設定時に選択可能な複数の機能を表示手段に一覧表示するとともに、第１の操作部の操作に伴って選択すべき機能を一覧表示において所定方向に変更し、第２の操作部の操作に伴って所定方向とは逆の方向に変更するようにしたものである。
請求項３の発明は、第１の操作部の操作による機能の変更方向と第１の方向とが略一致するとともに、第２の操作部の操作による機能の変更方向と第２の方向とが略一致するようにしたものである。
請求項４の発明は、表示手段が一覧表示のときに第３の操作部が操作されると、その操作で決定された機能に応じた表示に切換え、その後に第４の操作部が操作されると、一覧表示に戻すようにしたものである。
請求項５の発明は、カメラモード設定時には、第１〜第４の操作部の操作に応答して撮影条件を設定するようにしたものである。
請求項６の発明は、上記撮影条件の設定がファインダ内のフォーカスエリアの選択設定であり、第１〜第４の操作部の操作に応答して選択すべきフォーカスエリアを第１〜第４の方向と略一致する方向にそれぞれ変更するようにしたものである。
請求項７の発明は、撮影を行って画像データを記録するカメラモードと、記録された画像データを再生する再生モードとが設定可能な電子カメラに適用される。
そして、基準位置から第１の方向に離れた選択操作部、基準位置から第１の方向とは異なる第２の方向に離れたセット操作部、および基準位置から第２の方向とは逆の第３の方向に離れたリセット操作部を一群にまとめて成る操作手段と、再生モード設定時に、選択操作部の操作に応答して画像または機能を選択し、セット操作部の操作に応答して選択された画像または機能の「決定」を行い、リセット操作部の操作に応答して「決定」を解除する制御手段とを具備する。
請求項８〜１０の発明は、画像データ、および該画像データを再生する際の機能を設定するメニューを一覧表示する表示手段をカメラ本体の背面に設けるとともに、基準位置から第１の方向に離れた第１の操作部、基準位置から第１の方向とは逆の第２の方向に離れた第２の操作部、基準位置から第１，第２の方向とは異なる第３の方向に離れた第３の操作部、および基準位置から第３の方向とは逆の第４の方向に離れた第４の操作部を一群にまとめて成る操作手段を、カメラ本体の前記背面における前記表示手段の右側に配置し、第１〜第４の操作部によって上記メニューに対する操作を行うよう構成したものである。
請求項９の発明は、カメラ本体を右手で把持するためのグリップ部の背面側に上記操作手段を配置したものである。
請求項１０の発明は、上記メニューを、複数機能かつ複数機能のうち少なくとも一つの機能に対して複数階層を有する構造とし、メニューが表示手段に表示された状態で、第１および第２の操作部の操作に応答して機能を選択し、第３の操作部の操作に応答して選択された機能の下位階層メニューへの遷移を行い、第４の操作部の操作に応答して選択された機能の上位階層メニューへの遷移を行う制御手段とを更に具備する。
請求項１１０の発明は、再生モード設定時に、画像データの再生に関する複数機能かつ複数機能のうち少なくとも一つの機能に対して複数階層を有するメニュー一覧を表示する表示手段と、基準位置から第１の方向に離れた第１の操作部、基準位置から第１の方向とは逆の第２の方向に離れた第２の操作部、基準位置から第１，第２の方向とは異なる第３の方向に離れた第３の操作部、および基準位置から第３の方向とは逆の第４の方向に離れた第４の操作部を一群にまとめて成る操作手段と、メニュー一覧が表示手段に表示された状態で、第１および第２の操作部の操作に応答して機能を選択し、第３の操作部の操作に応答して選択された機能の下位階層メニューへの遷移を行い、第４の操作部の操作に応答して選択された機能の上位階層メニューへの遷移を行う制御手段とを具備する。
請求項１２の発明は、基準位置から第１の方向に離れた第１の操作部、基準位置から第１の方向とは逆の第２の方向に離れた第２の操作部、基準位置から第１，第２の方向とは異なる第３の方向に離れた第３の操作部、および基準位置から第３の方向とは逆の第４の方向に離れた第４の操作部を一群にまとめて成る操作手段と、再生モード設定時に、第１および第２の操作部の操作に応答して再生される画像データの切換えを行い、第３および第４の操作部の操作に応答して他の機能を実行する制御手段とを具備する。
【手続補正３】
【補正対象書類名】明細書
【補正対象項目名】００２３
【補正方法】変更
【補正の内容】
【００２３】
【発明の効果】
本発明によれば、操作手段の第１および第２の操作部の操作に応答して画像または機能を選択し、操作部材の第３の操作部の操作に応答して選択された画像または機能の「決定」を行い、第４操作部の操作に応答して「決定」を解除するようにした。また、第１および第２の操作部の操作に応答して機能を選択し、第３の操作部の操作に応答して選択された機能の下位階層メニューへの遷移を行い、第４の操作部の操作に応答して前記選択された機能の上位階層メニューへの遷移を行うようにしたので、多くの操作が操作手段から指を離さずに行え、操作性の向上および省スペース化に寄与する。特に「決定」（下位階層メニューへの遷移）と対照的な機能である「解除」（上位階層メニューへの遷移）を「決定」（下位階層メニューへの遷移）の反対側に配置したので、誤った決定をしたときに反対側を押すことで誤った決定が取り消せることが、瞬間的な人間の反応に適合していて分かり易く、操作に迷うことがない。また、カメラ本体背面の表示手段の右側に操作部材を設けたので、表示手段を見ながらの操作をカメラ本体を把持した際の右手親指で楽に行うことができる。また操作手段をカメラモードと再生モードで兼用するようにすれば、更なる省スペース化および部品点数の低減が図れ、以てコストダウンが図れる。